(57)【要約】      （修正有）【課題】便器前の適正な位置での排尿により、便器外への尿洩れを防止する方法を提供する。【解決手段】便器４外に尿漏れを防止する手段として、靴型１を便器４外の適正な位置に設置し、その靴型１のまわりの後方や外側に山状突起２を設置して使用する。この場合靴型１内から足の位置がはみ出て、山状突起２に靴足が乗ると、不安定感になり靴型１内に足の位置が修正されて尿漏れを防止する。また使用度の高い公衆トイレ等で頻繁に尿漏れの多い場所では、マットに靴型１を設置して汚れた場合には素早く取り替えができ、常に清潔な環境が保たれる。なおマットの裏面下にポケットを設けて、尿漏れを吸着する吸水ポリマーや消臭剤を入れて、アンモニア等の悪臭を防ぐ。また吸水ポリマーが吸着するので、衛生的かつ清潔な環境で使用できる。【選択図】図２
2006198362.tif 000002
【特許請求の範囲】
【請求項１】
便器から尿が漏れることを防止することができるように、便器に向かって立つ足の位置を、前後左右の適正な位置に靴型でわかりやすくハッキリと設置して、靴型の周囲に適正な高さの山状突起を設けて、足の位置がはみださないようにする。はみだした場合、山状突起に足が乗ると不安定に感じるので、靴型内に足が修正されるから便器外に尿漏れは起こらない。靴型は小人から大人までが同じ型で共用できるように、山状突起が靴型の外横と後側に設置されて、便器に接近することができるので、子供から大人までが共用しても便器外に尿が漏れるのを防止できる。
【請求項２】
便器の使用箇所の周囲を囲むマットに靴型を設置して尿漏れを防止できるようにする。マットが尿で汚れた場合には素早く取り替えることができる。マットと靴型は弾力性のあるゴム状のものかウレタン性の素材で、丸洗いでき、小さく丸め込むこともでき、取り替えが素早く簡単にできる。便器に接触する尿漏れの多発する面のマット部には、小さな穴を複数設けてあり、尿漏れがあった場合でもマットを通過して尿漏れの汚れは目立たず清潔に保たれる。またマットの尿が漏れた部分の穴の裏面には、尿を吸着し、アンモニア等の発生を防止する吸水ポリマーを設置しておけば、尿の悪臭が解消される。尿漏れを防止し常に便所を清潔に保つことができる。
【発明の詳細な説明】
【技術分野】
【０００１】  本発明は便器を使用する時に、尿漏れが発生し、不衛生になることを防止するために、便器内に尿が正確に入るよう靴型を適正な位置に設置して尿漏れを完全に防止する二通りの方法である。一つは便器前の適正な場所に靴型を固定して尿漏れを防止する。二つ目はマット状に靴型を設置して取り替えが早く簡単にできる。さらに吸水ポリマーをマット裏にセットすることにより尿漏れの吸収やアンモニアの悪臭を除去できる尿漏れ防止足位置固定法。
【背景技術】
【０００２】  一般に尿漏れ対策は皆無に近く、便器に一歩前進のメモ書き等がある程度である。公衆トイレでは常に尿漏れを掃除し続けなければ不衛生で、夏場はアンモニアの悪臭で不快感を与え、イメージが悪い。また清潔に保つためには常に清掃をする必要があり人件費も増すばかりである。商売や店のイメージを良くするには、トイレを美しく清潔にすることは基本であり、店に訪れてトイレに入った時に尿漏れや悪臭にあうと、その店のイメージダウンになる。トイレに入るごとに点検をするところもあるが大変な作業で、全国の駅構内のトイレ清掃にかかる費用は膨大といわれている。これらの問題点を解決するために発明された尿漏れ防止足位置固定法。
【発明の開示】
【発明が解決しようとする課題】
【０００３】  便器外の尿漏れを防止するためには、便器に対して人の立つ位置が適正であれば尿漏れはおこらない。適正な位置に靴型を設置し、靴型の周囲に山状突起を設けて、靴型内に足を置いて尿をすれば、尿漏れは起こらない。特に急いでいる時やお酒を飲んで酔っている時でも尿漏れを防止することができる。次にマットに靴型を設置して尿漏れを防止する方法は、マットが汚れた時に素早く取り替えができる。また丸洗いすることもでき、常に清潔に保つことが可能。またマットの尿漏れ部の下に給水ポリマー設置し、尿漏れが起きたときに尿を吸着してアンモニアやその他悪臭を防止する。吸水ポリマーには消臭剤や香料を含ませて、快適な環境をつくることもできる。マットにはカラフルなデザインをして楽しさも加えられる。本発明は、汚れやすいトイレを常に清潔にすることができ、素晴らしい環境で使用できる。
【課題を解決するための手段】
【０００４】  上記の課題を解決するためには、図１に示すように靴型１の型にそって２の山状突起を設けて、図２の４の便器に向かって立つ適正な足の位置が固定されて尿漏れを防止する。２の山状突起に靴やかかとが乗った場合、体が不安定になるので２の内側に足の位置が修正されて、適正な姿勢になるから尿漏れを防ぐことができる。またいろいろな便器の種類によって、適正な位置に靴型を設置しておけば不特定多数の人が使用しても尿漏れは起こらない。図３はマットに靴型を設置して尿漏れを防止する。汚れた場合でも素早く取り替えられるようになっている。また丸洗いが簡単にできるので、常に清潔である。
【発明の効果】
【０００５】  本発明は、以上説明したように、便器外に尿漏れを防止し、アンモニアなどの発生による悪臭をなくし、清潔、衛生的で快適な環境内で使用できる。なお、公衆トイレや数多くのトイレを持つ企業は、トイレが常に汚されるため掃除をする費用も膨大であるが、本発明を利用すれば経費を大きく削減できる。
【発明を実施するための最良の形態】
【０００６】  便器外に尿漏れを起こす原因は便器にむかって立つ位置が後ろすぎたり、左右どちらかに行き過ぎた時に起こる。便器にむかって適正な位置に靴型を設置して靴型内に立って、尿をすれば尿漏れはほとんど起こらない。靴型の山状突起に靴足が乗ると体が不安定になるので、立位置が適正な靴型内に修正され、尿漏れを防止できる。また放尿が終わってズボンのファスナーを閉めるため後方に少しバックした時に残尿が便器外に漏れることがあるが、後方に靴型の山状突起があるため、ファスナーを閉めてからバックすることになるので、残尿が漏れるのを防ぐ。本発明を色彩豊かにしてトイレの暗いイメージを明るくすることで、使用する人達が気持ちよくなり楽しく利用してもらう事が最良の形態である。
【実施例】
【０００７】  以下、図面を参照して本発明の尿漏れ防止足位置固定法を使用した実施例を説明すると、図２は４の便器の左右に靴型を適正な位置に設置固定して、２の山状突起内に足の位置が正確に入り尿漏れを防止することができる。１の靴型は小人から大人が共用できるように、前にはいくらでも接近することができる。後ろと外横に２で足がはみ出ないようになっている。図４はマットに靴型を設置して４の便器に密着させて尿漏れを防止する。また汚れた時にいつでも取替えが簡単にできて便利である。図５のマットの裏側には６のポケットを設けて、図６の７の吸水ポリマーや消臭剤を６に入れておけば、尿漏れがあった場合でも７が吸着や消臭剤によってアンモニアの発生や悪臭を抑えることができる。常に良好な環境を保ち快適に使用することができる。なお本発明の素材はゴム、プラスチック、ウレタン、布、紙、木炭、ガラス、セラミック、金属、ゼオライト、トルマリン、スチロール、石綿、ゲルマニウム、遠赤外線等である。
【産業上の利用可能性】
【０００８】  便器に向かって正しい位置に靴型を設置しますが、小便用、大便用、大小便兼用とあり、またいろいろな形をした便器があります。種類に応じて便器の使用方法があり、室内ではスリッパ型、靴ばきはで靴型、素足では足型と変えて、適正な位置で大便、小便に利用できる可能性がある。
【図面の簡単な説明】
【０００９】
【図１】本発明の靴型平面図
【図２】本発明を便器適正位置に設置平面図
【図３】本発明マットに靴型設置平面図
【図４】本発明を便器に設置平面図
【図５】本発明マット裏側の平面図
【図６】本発明用吸水ポリマーと消臭剤斜視図
【図７】本発明に消臭剤を入れた平面図
【符号の説明】
【００１０】１  靴型
２  山状突起
３  丸型突起
４  便器
５  マット靴型
６  ポケット
７  吸水ポリマーと消臭剤
【図１】
2006198362.tif 000003
【図２】
2006198362.tif 000004
【図３】
2006198362.tif 000005
【図４】
2006198362.tif 000006
【図５】
2006198362.tif 000007
【図６】
2006198362.tif 000008
【図７】
2006198362.tif 000009